(57)【要約】【課題】レーベル面側に描画された光ディスクに対しても、再描画する際に、最適なフォーカスサーボゲインの調整ができる光ディスク描画装置を提供すること。【解決手段】光ディスク１００の描画層１１２に描画を行った後、さらに追加して描画を行いたい場合において、従来は、すでに描画されているものが画像であるため描画済みの領域と未描画の領域が頻繁に変わってしまい、レーザ光１３の反射光が安定せず、正確なフォーカスサーボゲインの調整を行うことが困難であった。しかし、光ディスク１００に描画を行わない自動調整エリア１０３を設け、自動調整エリア１０３にレーザ光１３を照射しながら、フォーカスサーボゲインの調整を行うことにより、安定したフォーカスサーボの制御を行うことができる。【選択図】図１
2008103006.tif 000002
【特許請求の範囲】
【請求項１】
光ディスクのレーベル面側にある描画層にレーザ光を照射して画像を描画する光ディスク描画装置であって、
前記光ディスクにレーザ光を照射し、前記光ディスクからの反射光に基づいた受光信号を生成する光ピックアップと、
設定されたフォーカスサーボゲインに基づいて、前記受光信号に基づいて生成した信号にゲイン調整を行い、前記ゲイン調整された信号に基づいて、前記光ピックアップから出力される前記レーザ光の焦点が前記描画層に合うように制御するフォーカスサーボ制御部と、
前記光ピックアップの位置を検出し、前記光ピックアップから出力されるレーザ光の照射位置が光ディスク上の予め定められた所定の領域にあるか否かを判定する判定手段と、
前記判定手段の判定結果が肯定的である場合に前記フォーカスサーボ制御部に対してフォーカスサーボゲインの調整を行わせ、前記フォーカスサーボゲインの設定が行われたことおよび前記判定手段の判定結果が否定的であることを条件にして、画像の描画を許可する描画制御手段と
を具備することを特徴とする光ディスク描画装置。
【請求項２】
前記判定手段は、前記所定の領域を示す領域データを記憶し、記憶した領域データと、検出した光ピックアップの位置との比較に基づいて、前記判定を行うことを特徴とする請求項１に記載の光ディスク描画装置。
【請求項３】
前記判定手段は、前記所定の領域を示す領域データを受信する受信手段を具備し、
前記受信手段が受信した領域データと、検出した光ピックアップの位置との比較に基づいて、前記判定を行うことを特徴とする請求項１に記載の光ディスク描画装置。
【請求項４】
前記光ピックアップが出力する受光信号から前記所定の領域を示す領域データを読み取る読取手段を具備し、
前記判定手段は、前記読取手段が読み取った領域データと、検出した光ピックアップの位置との比較に基づいて、前記判定を行うことを特徴とする請求項１に記載の光ディスク描画装置。
【請求項５】
前記画像を示す描画データを記憶する記憶手段と、
前記画像データが前記光ディスクの前記所定の領域に描画されるか否かを判定する描画判定手段と、
前記描画判定手段の判定が肯定的である場合に、前記画像データを修正して前記所定の領域には描画されない画像データに書き換える書換手段と
を具備することを特徴とする請求項１から請求項４のいずれかに記載の光ディスク描画装置。
【発明の詳細な説明】
【技術分野】
【０００１】
本発明は、光ディスクのレーベル面側に描画する技術に関する。
【背景技術】
【０００２】
光ディスクに描画する場合には、フォーカスサーボをかけて描画する方法が開示されているが、メディアごとの反射率のばらつき、アクチュエータの特性ばらつき、レーザ光量のばらつきや温度変化等により、安定なサーボ系とならない場合があり、描画動作が不安定となってしまう。そこで、フォーカスサーボゲイン調整を、ディスク挿入直後に実行して、光ディスクに照射したレーザ光の反射光に基づいて、サーボ系が最適な状態に調整され、描画開始以降は、この調整に基づいてフォーカスサーボ制御されていく技術が開発されている。（例えば、特許文献１、特許文献２）
【特許文献１】特開２００２−２０３３２１号公報
【特許文献２】特開２００５−２２８３８２号公報
【発明の開示】
【発明が解決しようとする課題】
【０００３】
ところで、一度描画された光ディスクは、描画がされた部分の反射率が変わってしまうが、追加して描画を行いたいこともある。ここで、描画を行う前に必要なフォーカスサーボゲイン調整を行うには、レーザ光を照射する際に反射率の変化が少ない領域で行う必要があるため、レーザ光が照射される光ディスクの位置が描画済みの領域か未描画の領域かを判断する必要がある。一般に、データ記録された光ディスクの場合は、描画済み（記録済み）の領域か未描画（未記録）の領域かを判断することは可能であるため、未描画の領域を判断してフォーカスサーボゲインを調整することが可能である。
【０００４】
一方、画像が描画されている光ディスクの場合には、画像を構成する領域の中に、線画が書かれている部分や書かれていない部分が多数存在するため、画像が描画されたレーベル面をスキャンした場合、物理的には何も書かれていない部分と線画が書かれている部分とが交互に頻繁に切り替わるため、正確なフォーカスゲインの調整を行うことができない。
【０００５】
本発明は、上述の事情に鑑みてなされたものであり、既にレーベル面側に描画された光ディスクに対しても、最適なフォーカスサーボゲインにおいてレーベル面側に描画を行うことのできる光ディスク描画装置を提供することを目的とする。
【課題を解決するための手段】
【０００６】
上述の課題を解決するため、本発明は、光ディスクのレーベル面側にある描画層にレーザ光を照射して画像を描画する光ディスク描画装置であって、前記光ディスクにレーザ光を照射し、前記光ディスクからの反射光に基づいた受光信号を生成する光ピックアップと、設定されたフォーカスサーボゲインに基づいて、前記受光信号に基づいて生成した信号にゲイン調整を行い、前記ゲイン調整された信号に基づいて、前記光ピックアップから出力される前記レーザ光の焦点が前記描画層に合うように制御するフォーカスサーボ制御部と、前記光ピックアップの位置を検出し、前記光ピックアップから出力されるレーザ光の照射位置が光ディスク上の予め定められた所定の領域にあるか否かを判定する判定手段と、前記判定手段の判定結果が肯定的である場合に前記フォーカスサーボ制御部に対してフォーカスサーボゲインの調整を行わせ、前記フォーカスサーボゲインの設定が行われたことおよび前記判定手段の判定結果が否定的であることを条件にして、画像の描画を許可する描画制御手段とを具備することを特徴とする光ディスク描画装置を提供する。
【０００７】
また、別の好ましい態様において、前記判定手段は、前記所定の領域を示す領域データを記憶し、記憶した領域データと、検出した光ピックアップの位置との比較に基づいて、前記判定を行ってもよい。
【０００８】
また、別の好ましい態様において、前記判定手段は、前記所定の領域を示す領域データを受信する受信手段を具備し、前記受信手段が受信した領域データと、検出した光ピックアップの位置との比較に基づいて、前記判定を行ってもよい。
【０００９】
また、別の好ましい態様において、前記光ピックアップが出力する受光信号から前記所定の領域を示す領域データを読み取る読取手段を具備し、前記判定手段は、前記読取手段が読み取った領域データと、検出した光ピックアップの位置との比較に基づいて、前記判定を行ってもよい。
【００１０】
また、別の好ましい態様において、前記画像を示す描画データを記憶する記憶手段と、前記画像データが前記光ディスクの前記所定の領域に描画されるか否かを判定する描画判定手段と、前記描画判定手段の判定が肯定的である場合に、前記画像データを修正して前記所定の領域には描画されない画像データに書き換える書換手段とを具備してもよい。
【発明の効果】
【００１１】
本発明によれば、レーベル面側に描画された光ディスクに対しても、最適なフォーカスサーボゲインにおいてレーベル面側に描画を行うことのできる光ディスク描画装置を提供することができる。
【発明を実施するための最良の形態】
【００１２】
以下、本発明の一実施形態について説明する。
【００１３】
＜実施形態＞
本実施形態に係る光ディスク描画装置１は、光ディスク１００に対して、その光ディスク１００のレーベル面側に利用者が視認し得るような画像を描く機能を有している。以下の説明では、まず、光ディスク１００について説明し、その次に、光ディスク描画装置１についての説明を行う。
【００１４】
図１は、本実施形態に係る光ディスク１００をレーベル面ＬＳから見た平面図である。光ディスク１００は、例えば、一般の光ディスクのレーベル面ＬＳ側に描画できるようにした可視画像記録可能ディスクである。本実施形態においては、光ディスク１００は、ＤＶＤ−Ｒとするが、ＣＤ−Ｒ等どのような光ディスクであってもよい。
【００１５】
光ディスク１００は、図１に示すように、レーベル面ＬＳ側には、センターホール１０１から外周に向かって、ディスクの情報などが記憶された情報エリア１０２（半径２２（ｍｍ）〜２４（ｍｍ）の領域）、フォーカスサーボゲイン調整を行うときにレーザ光が照射される自動調整エリア１０３（半径２４（ｍｍ）〜２５（ｍｍ）の領域）、画像が描画される描画エリア１０４（半径２５（ｍｍ）〜５８．２（ｍｍ）の領域）を有している。本実施形態においては、自動調整エリア１０３は、描画エリア１０４と構造は同一であるため、描画することも可能であるが、描画しないエリアとして区別している。
【００１６】
図２は、光ディスク１００の自動調整エリア１０３および描画エリア１０４の断面図である。図２に示すように、光ディスク１００の断面構造は、レーベル面ＬＳから記録面ＤＳに向かって順番に、ポリカーボネート層１１１、描画層１１２、反射層１１３、接着層１１４、反射層１１５、データ記録層１１６およびポリカーボネート層１１７とが積層されている。光ディスク１００の厚さは、約１．２（ｍｍ）であるが、そのうちポリカーボネート層１１１及びポリカーボネート層１１７がそれぞれ０．６（ｍｍ）程度を占めており、描画層１１２からデータ記録層１１６までの厚さは全体の厚さに比べて微少な距離ｄである。データ記録層１１６の記録面ＤＳ側には、螺旋状のグルーブ（案内溝）１１８が形成されている。
【００１７】
描画層１１２およびデータ記録層１１６は、所定の強度以上のレーザ光が照射されると変色する物質によって形成された色素層である。描画時には、反射層１１３からの反射光に基づいて、描画層１１２にレーザ光の焦点が合わせられる。そして、所定の強度以上のレーザ光が照射されると、描画層１１２のレーザ光が照射された領域が変色する。この変色した領域と変色していない領域によって、利用者が視認可能な画像が形成される。同様にして、データ記録時には、反射層１１５からの反射光に基づいて、データ記録層１１６にレーザ光の焦点が合わせられ、グルーブ１１８に沿ってデータ記録が行われる。なお、記録したデータを読み出す場合は、グルーブ１１８に沿って記録時よりも弱い所定の強度未満のレーザ光が照射され、その反射光の強度を検知することで実現される。
【００１８】
図３は、光ディスク１００の情報エリア１０２の断面図である。図３に示すように、上述した光ディスク１００の自動調整エリア１０３および描画エリア１０４の断面構造に追加して、描画層１１２のレーベル面ＬＳ側に、プリピット１１９が形成されたものである。このプリピット１１９には、光ディスク１００がレーベル面側に描画できるようにした可視画像記録可能ディスクであることを示すデータが記録されている。
【００１９】
次に、光ディスク描画装置１について説明する。図４は、光ディスク描画装置１に光ディスク１００が装填された場合の構成を示すブロック図である。
【００２０】
光ディスク描画装置１において、光ディスク１００はスピンドルモータ１１によって回転させられる。スピンドルサーボ１２は、スピンドルモータ１１の回転を、記録時および再生時は線速度一定に制御し（ＣＬＶ制御）、描画時は回転数一定に制御する（ＣＡＶ制御）。光ピックアップ１４は、ステッピングモータ１５で駆動される送りねじ等による送り機構１６により、光ディスク１００の径方向（図中左右方向）に移送され、光ディスク１００にレーザ光１３を照射する。そして、その反射光に基づく受光信号を光ディスク描画装置１の各回路へ出力する。モータドライバ１７はシステム制御部１９の指令に基づいて、ステッピングモータ１５を駆動する。また、システム制御部１９は、自動調整エリア１０３の領域を記憶しているため、光ピックアップ１４の位置からレーザ光１３が自動調整エリア１０３に照射される位置であるか否かを判定することができる。
【００２１】
フォーカスサーボ１８は、データ記録時、再生時、描画時にフォーカスサーボ制御を行って、光ピックアップ１４の対物レンズの焦点位置を制御する。フォーカスサーボ１８については、詳細を後述する。
【００２２】
トラッキングサーボ２０は、システム制御部１９の指令および光ピックアップ１４からの受光信号に基づいて、データ記録および再生時に光ピックアップ１４のトラッキングサーボ制御を行う。ただし、描画時においては、トラッキングサーボ制御はオフされる。ＡＬＰＣ（Automatic Laser Power Control）回路２１は、システム制御部１９の指令および光ピックアップ１４からの受光信号に基づいて、レーザドライバ２２がデータ記録および再生時並びに描画時に光ピックアップ１４のレーザダイオードを駆動する際のレーザ光１３の強度を制御する。
【００２３】
エンコーダ２３は、データ記録時において、記録データを光ディスク１００の形式に応じたフォーマットにエンコードする。本実施形態の場合はＤＶＤ−Ｒなので８−１６変調する。レーザドライバ２２はこのエンコードされた記録データに応じてレーザ光１３を変調し、その記録データを光ディスク１００のデータ記録層１１６を変色させて記録する。一方、描画時においては、エンコーダ２３は、描画データを構成する画素の階調データに応じてデューティが変化するパルス信号（以下、描画信号という）を生成する。レーザドライバ２２はこの描画信号に基づいてレーザ光１３を変調し、光ディスク１００の描画層１１２を変色させて、モノクロ多階調による描画を行う。デコーダ２５は、データ再生時に光ピックアップ１４からの受光信号を８−１６復調してデータ再生を行い、インタフェース１０を介してホスト装置２００に送信する。
【００２４】
ホスト装置２００は、データ記録、データ再生、描画のいずれかを光ディスク描画装置１に実行させるための指令を送信し、また操作者からの指令を光ディスク描画装置１に送信する。この指令はインタフェース１０を介してシステム制御部１９に送信される。システム制御部１９は、送信された指令に基づいて、光ディスク描画装置１の各回路に対して該当する動作を実行させる。また、ホスト装置２００は、レーベル面ＬＳ側の描画層１１２に描画する画像の描画データまたは記録面ＤＳ側のデータ記録層１１６に記録する記録データについて、インタフェース１０を介してバッファメモリ２４に蓄積する。この描画データまたは記録データは、バッファメモリ２４に一旦蓄積された後、読み出されてエンコーダ２３に供給される。
【００２５】
次に、フォーカスサーボ１８の構成を説明する。図５は、フォーカスサーボ１８の構成を示すブロック図である。フォーカスエラー生成回路１８１は、光ピックアップ１４から出力された受光信号に基づいて、フォーカスエラー信号を生成する。フォーカスエラーアンプ１８２は、フォーカスサーボゲインに基づいて、フォーカスエラー信号にゲイン調整するためのゲイン調整回路であり、システム制御部１９の制御に従い、安定したフォーカスサーボ制御に必要なフォーカスサーボゲインが設定される。イコライザ１８３は、フォーカスエラーアンプ１８２でゲイン設定後のフォーカスエラー信号に位相補償を行いフォーカスエラー制御信号として出力する。三角波発生回路１８４は、三角波信号を出力する回路である。ループスイッチＳＷは、システム制御部１９の制御に従い、イコライザ１８３から出力されるフォーカスエラー制御信号、または、三角波発生回路１８４から出力される三角波信号のいずれかを駆動回路１８５に入力するように切り替えるスイッチである。駆動回路１８５は、入力された信号に基づいて、光ピックアップ１４の対物レンズを移動させる。具体的には、入力された信号がフォーカスエラー制御信号の場合は、フォーカスエラーを打ち消す方向、すなわち描画時においては、描画層１１２に対物レンズの焦点が合うように光ピックアップ１４を制御する。また、入力された信号が三角波信号の場合は、三角波の波形に基づいて対物レンズの焦点位置を振動させるように、光ピックアップ１４を制御する。振幅測定器１８６は、フォーカスエラー信号の振幅を検出し、システム制御部１９へ出力する。
【００２６】
次に、光ディスク描画装置１が光ディスク１００に描画する場合の動作について図４、図５、図６を用いて説明する。まず、ホスト装置２００は、光ディスク描画装置１のインタフェース１０に対して、光ディスク１００への描画を実行させるための指令および描画データを送信する。インタフェース１０は、システム制御部１９に対して、ホスト装置２００から送信された指令を出力し、描画データをバッファメモリ２４に蓄積する。
【００２７】
次に、光ディスク１００を光ディスク描画装置１に装填する。光ディスク１００が装填されると、スピンドルサーボ１２は、スピンドルモータ１１を回転数一定に制御（ＣＡＶ制御）するように、システム制御部１９によって制御される。そして、システム制御部１９は、モータドライバ１７を制御し、ステッピングモータ１５が送り機構１６によって光ピックアップ１４の位置を移動させ、レーザ光１３が照射される位置が光ディスク１００の自動調整エリア１０３にくるようにする。これは、光ピックアップ１４の移動距離から判定するようにすればよい。また、当該レーザ光１３の強度が再生時の強度（描画層１１２が変色しない強度）になるように、システム制御部１９は、ＡＬＰＣ回路２１を制御する。そして、トラッキングサーボ２０は、システム制御部１９によってオフになるように制御される。
【００２８】
次に、フォーカスサーボ１８のフォーカスエラーアンプ１８２へのフォーカスサーボゲインの設定について、図５、図６を用いて説明する。まず、システム制御部１９は、ループスイッチＳＷを図５の破線で示すように切り替えて、三角波発生回路１８４と駆動回路１８５を接続する。そして、図６に示すような三角波信号が駆動回路１８５に入力される。これにより、駆動回路１８５は、光ピックアップ１４の対物レンズを一定速度で光ディスク１００に近づけたり遠ざけたりして焦点の位置を変化させ、対物レンズの焦点が描画層１１２を通過するように制御する。
【００２９】
図６に示すようにフォーカスエラー信号は対物レンズの焦点が描画層１１２に合焦する前後においてＳ字状に変化する（以下、Ｓカーブという）。このとき、Ｓカーブがゼロクロスするタイミングにおいて、対物レンズの焦点が描画層１１２に合う状態になっている。そして、フォーカスエラー信号が振幅測定器１８６に出力され、Ｓカーブの振幅が測定され、システム制御部１９に出力される。ここで、Ｓカーブの振幅のピーク電圧はＶｐであるとする。
【００３０】
次に、フォーカスエラーアンプ１８２から出力されるゲイン調整されたフォーカスエラー信号の振幅のピーク電圧が所定の電圧Ｖｃになるように、システム制御部１９は、フォーカスエラーアンプ１８２のフォーカスサーボゲインを設定する。すなわちシステム制御部１９は、フォーカスエラーアンプ１８２がフォーカスエラー信号をＶｃ／Ｖｐ倍に増幅するように設定する。
【００３１】
そして、システム制御部１９が、ループスイッチＳＷを図５の実線で示すように切り替えて、イコライザ１８３と駆動回路１８５を接続する。これにより、フォーカスサーボ１８は、光ピックアップ１４とフォーカスループが形成される。そして、描画時において光ピックアップ１４からの受光信号に基づいて、フィードバックをかけるようにして、描画層１１２に焦点が合うように光ピックアップ１４の対物レンズの位置を絶えず制御する。以上が、フォーカスサーボ１８において行われるフォーカスサーボゲインの設定の説明である。
【００３２】
次に、光ディスク１００への描画について、図４に戻って説明を続ける。システム制御部１９は、モータドライバ１７を制御し、ステッピングモータ１５が送り機構１６によって光ピックアップ１４の位置を移動させ、レーザ光１３が照射される位置が光ディスク１００の描画エリア１０４にくるようにする。これは、光ピックアップ１４の移動距離から判定するようにすればよい。また、システム制御部１９は、レーザ光１３が描画時の強度（描画層１１２が変色する強度）になるように、ＡＬＰＣ回路２１を制御する。バッファメモリ２４に蓄積された描画データは順次読み出され、エンコーダ２３は描画データから描画信号を生成して、ＡＬＰＣ回路２１に出力する。ＡＬＰＣ回路２１は、描画信号に基づいてレーザ光１３を変調させ、画像を光ディスク１００に描画するように、レーザドライバ２２を制御する。このようにして、光ディスク描画装置１は、光ディスク１００に所望の描画を行う。
【００３３】
ここで、光ディスク１００の描画層１１２に描画を行った後、さらに追加して描画を行いたい場合において、本実施形態の効果を顕著に得ることができる。すなわち、従来は、すでに描画されているものが画像であるため、描画済みの領域と未描画の領域が頻繁に変わってしまい、レーザ光１３の反射光が安定せず、正確なフォーカスサーボゲインの調整を行うことが困難であった。しかし、本実施形態のように、光ディスク１００に描画を行わない自動調整エリア１０３を設け、自動調整エリア１０３にレーザ光１３を照射して、フォーカスサーボゲインの調整を行うことにより、安定したフォーカスサーボの制御を行うことができる。
【００３４】
以上、本発明の実施形態について説明したが、本発明は以下のように、さまざまな態様で実施可能である。
【００３５】
＜変形例１＞
実施形態においては、自動調整エリア１０３は、図１に示すように、情報エリア１０２と描画エリア１０４の間に設けられるようにして、事前に決められていたが、任意の場所に設けてもよい。例えば、最外周付近などに設ければよい。この場合、自動調整エリア１０３については、情報エリア１０２に記憶されている情報を読み取ることによって、当該情報に基づいてシステム制御部１９が認識するようにしてもよいし、操作者からの操作などによって、ホスト装置２００から自動調整エリア１０３の情報をシステム制御部１９に出力し、システム制御部１９はその情報を受信することにより自動調整エリア１０３を認識してもよい。なお、幅についてもフォーカスサーボゲイン調整ができる程度の幅があれば、どのような幅でもよい。このようにすると、画像を描画するエリアの自由度をあげることができる。
【００３６】
＜変形例２＞
実施形態においては、描画層１１２に描画する場合は、レーベル面ＬＳ側からレーザ光１３を照射するようにしていたが、データ面ＤＳ側からレーザ光１３を照射して、描画するようにしてもよい。この場合は、光ディスク１００の描画エリア１０４の断面構造は、図７に示すように、レーベル面ＬＳから記録面ＤＳに向かって順番に、ポリカーボネート層１１１、反射層１１３、描画層１１２、接着層１１４、半透明反射層１２０、データ記録層１１６およびポリカーボネート層１１７とが積層されるようにすればよい。ここで、図２に示した光ディスク１００との違いは、反射層１１３の位置関係である。そして、システム制御部１９からの制御に従い、データ再生時、記録時においては、光ピックアップ１４の対物レンズの焦点をデータ記録層に合わせ、画像描画時においては、描画層に焦点が合うようにフォーカスサーボ１８に制御させればよい。
【００３７】
＜変形例３＞
実施形態においては、光ディスク１００の自動調整エリア１０３には描画しないようにしていたが、描画時にホスト装置２００から送信される描画データの中に自動調整エリア１０３の中に描画するようなデータが含まれている場合、エンコーダ２３は、自動調整エリア１０３には書き込まれないような描画データに書き換えてから、描画信号を生成してもよい。この際の描画データの書き換えは、自動調整エリア１０３に位置する画像をそのまま削除するようにした書き換えであってもよいし、描画エリア１０４の中に画像が収まるように倍率を変更するなどして、自動調整エリア１０３には画像が存在しないように書き換えてもよい。このようにすれば、ホスト装置２００から送信された描画データが自動調整エリア１０３に描画するようなデータであっても、光ディスク描画装置１によって、自動調整エリア１０３への描画が許可されないようにすることができる。
【００３８】
＜変形例４＞
実施形態においては、フォーカスサーボ１８は、図５に示すような構成となっていたが、図８に示すような構成であっても、フォーカスサーボゲインの調整を安定して行うことができる。ここで、図８の構成であるフォーカスサーボ１８について説明する。なお、図５と同じブロックについては同じ符号であり、詳細の説明は省略する。外乱信号発生回路１８７は、周波数が数ｋＨｚの外乱信号を発生する。そして、加算器１８８を介して、フォーカスエラー生成回路１８１から出力されたフォーカスエラー信号に注入して、フォーカスエラーアンプ１８２に出力される。そして、外乱信号が注入されたフォーカスエラー信号に基づいて、イコライザ１８３はフォーカスエラー制御信号を生成する。そして、駆動回路１８５は、フォーカスエラー制御信号に基づいて光ピックアップ１４を制御する。光ピックアップ１４から出力された受光信号は、フォーカスエラー生成回路１８１に入力され、ループが一巡する。ＢＰＦ（バンドパスフィルタ）１８９は、ループを一巡したフォーカスエラー信号から外乱信号成分を取り出し、位相差測定回路１９０において、外乱信号発生回路１８７から出力された外乱信号とフォーカスエラー信号から取り出した外乱信号の位相差を測定する。そしてシステム制御部１９は、所定の位相差になるようにフォーカスエラーアンプ１８２のフォーカスサーボゲインの設定を行う。このように、実施形態と異なるフォーカスサーボの構成であっても、自動調整エリア１０３にレーザ光１３を照射して光ピックアップ１４から出力される受光信号に基づいて、フォーカスサーボゲインの調整を行う方法を用いたフォーカスサーボであれば、どのような構成でも実施形態と同様な効果を得ることができる。
【図面の簡単な説明】
【００３９】
【図１】実施形態に係る光ディスクのレーベル面から見た平面図である。
【図２】実施形態に係る光ディスクの描画エリアまたは自動調整エリアの断面図である。
【図３】実施形態に係る光ディスクの情報エリアの断面図である。
【図４】実施形態に係る光ディスク描画装置の構成を示すブロック図である。
【図５】実施形態に係る光ディスク描画装置のフォーカスサーボの構成を示すブロック図である。
【図６】フォーカスサーボにおける信号の説明図である。
【図７】変形例２に係る光ディスクの描画エリアまたは自動調整エリアの断面図である。
【図８】変形例４に係る光ディスク描画装置のフォーカスサーボの構成を示すブロック図である。
【符号の説明】
【００４０】
１…光ディスク描画装置、１０…インタフェース、１１…スピンドルモータ、１２…スピンドルサーボ、１３…レーザ光、１４…光ピックアップ、１５…ステッピングモータ、１６…送り機構、１７…モータドライバ、１８…フォーカスサーボ、１９…システム制御部、２０…トラッキングサーボ、２１…ＡＬＰＣ回路、２２…レーザドライバ、２３…エンコーダ、２４…バッファメモリ、２５…デコーダ、１００…光ディスク、１０１…センターホール、１０２…情報エリア、１０３…自動調整エリア、１０４…描画エリア、１１１，１１７…ポリカーボネート、１１２…描画層、１１３，１１５…反射層、１１４…接着層、１１６…データ記録層、１１８，１１９…グルーブ、１２０…半透明反射層、１８１…フォーカスエラー生成回路、１８２…フォーカスエラーアンプ、１８３…イコライザ、１８４…三角波発生回路、１８５…駆動回路、１８６…振幅測定器、１８７…外乱信号発生回路、１８８…加算器、１８９…ＢＰＦ、１９０…位相差測定回路、２００…ホスト装置
【図１】
2008103006.tif 000003
【図２】
2008103006.tif 000004
【図３】
2008103006.tif 000005
【図４】
2008103006.tif 000006
【図５】
2008103006.tif 000007
【図６】
2008103006.tif 000008
【図７】
2008103006.tif 000009
【図８】
2008103006.tif 000010